(57)【特許請求の範囲】
【請求項１】
リール本体と、
ハンドルが装着され、前記リール本体に回転自在に支持されるハンドル軸と、
前記リール本体に回転自在に支持されるスプールと、
前記ハンドル軸と前記スプールとを係脱するクラッチ機構と、
糸繰り出し量あるいは糸巻き取り量を演算する演算制御部と、
演算された糸繰り出し量あるいは糸巻き取り量を表示する表示部と、
前記演算制御部及び前記表示部に電力を供給する第１電源と、
前記ハンドル軸の回転あるいは前記スプールの回転に連動し得る発電部材を有する発電装置を含む第２電源と、
前記第２電源により作動し、前記スプールの糸巻き量に応じた径を測定する糸巻き径測定装置と、を備え、
前記演算制御部は、前記糸巻き径測定装置により測定された径及び前記スプールの回転数から糸繰り出し量あるいは糸巻き取り量を演算する、手巻き式の釣り用リール。
【請求項２】
リール本体と、
ハンドルが装着され、前記リール本体に回転自在に支持されるハンドル軸と、
前記リール本体に回転自在に支持されるスプールと、
前記ハンドル軸と前記スプールとを係脱するクラッチ機構と、
糸繰り出し量あるいは糸巻き取り量を演算する演算制御部と、
演算された糸繰り出し量あるいは糸巻き取り量を表示する表示部と、
前記演算制御部及び前記表示部に電力を供給する第１電源と、
前記ハンドル軸の回転あるいは前記スプールの回転に連動し得る発電部材を有する発電装置を含む第２電源と、
前記第２電源により作動し前記表示部の表示に光を供給するライト部と、
を備えた手巻き式の釣り用リール。
【請求項３】
リール本体と、
ハンドルが装着され、前記リール本体に回転自在に支持されるハンドル軸と、
前記リール本体に回転自在に支持されるスプールと、
前記ハンドル軸と前記スプールとを係脱するクラッチ機構と、
糸繰り出し量あるいは糸巻き取り量を演算する演算制御部と、
演算された糸繰り出し量あるいは糸巻き取り量を表示する表示部と、
前記演算制御部及び前記表示部に電力を供給する第１電源と、
前記ハンドル軸の回転あるいは前記スプールの回転に連動し得る発電部材を有する発電装置を含む第２電源と、
前記第２電源により作動し警告音を発するアラーム部と、
を備えた手巻き式の釣り用リール。
【請求項４】
前記第２電源により作動し、前記スプールの糸巻き量に応じた径を測定する糸巻き径測定装置をさらに備え、
前記演算制御部は、前記糸巻き径測定装置により測定された径及び前記スプールの回転数から糸繰り出し量あるいは糸巻き取り量を演算する、
請求項２又は３に記載の釣り用リール。
【請求項５】
前記糸巻き径測定装置は、光センサーにより得られた信号に基づいて前記スプールの糸巻き量に応じた径を測定する、請求項１又は４に記載の釣り用リール。
【請求項６】
前記糸巻き径測定装置は、音波センサーにより得られた信号に基づいて前記スプールの糸巻き量に応じた径を測定する、請求項１又は４に記載の釣り用リール。
【請求項７】
前記演算制御部は、前記糸巻き径測定装置によって得られる糸繰り出し開始時の前記スプールの第１径及び巻き上げ開始時の前記スプールの第２径と前記スプールの回転数とを基にして、糸繰り出し量あるいは糸巻き取り量と前記スプールの回転数との相対関係式を作成及び更新し、前記相対関係式により糸繰り出し量あるいは糸巻き取り量を演算する、
請求項１及び４から６のいずれか１項に記載の釣り用リール。
【請求項８】
前記演算制御部は、前記第２電源の電圧が所定の電圧以下になったときに、前記演算制御部における前記相対関係式の更新を中止する、
請求項７に記載の釣り用リール。
【請求項９】
前記表示部は、前記第２電源の電圧が所定の電圧以下になったときに、前記演算制御部における相対関係式の更新を中止している旨を表示する、
請求項８に記載の釣り用リール。
【請求項１０】
前記発電装置は、前記スプールに連動する発電部材を含み、前記スプールの回転により発電を行う、
請求項１から９のいずれか１項に記載の釣り用リール。
【請求項１１】
前記発電装置は、前記ハンドル軸に連動する発電部材を含み、前記ハンドル軸の回転により発電を行う、
請求項１から９のいずれか１項に記載の釣り用リール。
【請求項１２】
前記第２電源により作動するアクチュエータをさらに備えた、請求項１から１１のいずれかに記載の釣り用リール。
【発明の詳細な説明】
【０００１】
【発明の属する技術分野】
本発明は、手巻き式の釣り用リール、特に電力により作動する各種装置を備えた手巻き式の釣り用リールに関する。
【０００２】
【従来の技術】
釣り船などから仕掛けを投下する際には、魚群の位置に正確に仕掛けを降ろして当たりを待つことにより釣果が期待できる。また、投釣では、仕掛けの飛距離を測り仕掛けを投入したポイントを確認できることが望ましい。このため、最近の手巻き式の釣り用リールには、釣り糸の繰り出し長さや巻き取り長さを計測して表示したり、計測長に基いて棚位置でアラームを鳴らしたりする装置を備えているものがある。
【０００３】
このような釣り用リールでは、上記各装置を駆動するために電源を必要とする。この電源を確保するために、手巻き式の釣り用リールにおいては主にリチウム電池などが使用されている。そして、この１つの電源によって全ての装置に電力を供給しているか、あるいは演算制御部及び表示部用電源とクラッチを係脱するためのアクチュエータ駆動用電源とに別個の電池を使用している。
【０００４】
【発明が解決しようとする課題】
最近では釣り用リールに備えられる機能が増大してきており、これに伴って電源の寿命が短くなるため、電池の交換を頻繁に行わなければならない。
【０００５】
本発明の課題は、電池の消費電力を軽減して電池の寿命を延ばし、電池を交換する頻度を抑えることにある。
【０００６】
【課題を解決するための手段】
発明１に係る釣り用リールは、手巻き式であって、リール本体と、ハンドル軸と、スプールと、クラッチ機構と、演算制御部と、表示部と、第１電源と、第２電源と、糸巻き径測定装置とを備えている。ハンドル軸にはハンドルが装着されており、ハンドル軸はリール本体に回転自在に支持されている。スプールはリール本体に回転自在に支持されている。クラッチ機構は、ハンドル軸とスプールとを係脱する機構である。演算制御部は糸繰り出し量あるいは糸巻き取り量を演算する。表示部は演算された糸繰り出し量あるいは糸巻き取り量を表示する。第１電源は演算制御部及び表示部に電力を供給する。第２電源は発電装置を含む電源である。第２電源の発電装置は、ハンドル軸の回転あるいはスプールの回転に連動し得る発電部材を有している。糸巻き径測定装置は、第２電源により作動し、スプールの糸巻き量に応じた径を測定する。また、演算制御部は、前記糸巻き径測定装置により測定された径及び前記スプールの回転数から糸繰り出し量あるいは糸巻き取り量を演算する、
この釣り用リールでは、釣り糸を繰り出すときには、クラッチ機構によりハンドル軸とスプールとの連結を解除し、釣り糸を巻き取るときには、クラッチ機構によりハンドル軸とスプールとを連結させる。演算制御部は、この糸繰り出しあるいは巻き取り時に測定されるデーターにより、糸繰り出し量あるいは糸巻き取り量を演算する。この演算された糸繰り出し量あるいは糸巻き取り量は表示部に表示される。
【０００７】
演算制御部及び表示部は、常に、糸繰り出し量あるいは糸巻き取り量を釣り人に提供していなければならない。したがって、演算制御部及び表示部に供給される電力は安定している必要がある。一方、糸繰り出しあるいは巻き取り時にスプールの糸巻き径を測定する装置やアラーム発生装置などのその他の装置については、常に作動している必要はなく、仮に電力が供給されず作動が止まっても、演算制御部にそれまでの測定データーによる補完演算をさせることもでき、アラーム機能についても停止することを停止の直前に釣り人に認識させれば釣り人にとって許容される不便の範囲である。すなわち、釣り用リールの各部分における安定電力供給の重要度は異なり、全ての部分に対して安定した電圧を有する電源から電力を供給する必要はない。
【０００８】
ここでは、安定した電力を必要とする演算制御部及び表示部には第１電源から電力を供給し、その他の部分にはハンドル軸の回転あるいはスプールの回転に連動する発電部材により発電を行う発電装置を含む第２電源から電力を供給する。すなわち、常時作動している必要がなく作動が止まっても不都合が少ない部分には、発電装置を含み第１電源に較べて電力供給の安定性の低い第２電源から電力を供給する。このため、第１電源が全ての部分に電力供給していた従来のものに較べて第１電源の電力消費量が減少し、電池を交換する頻度が抑えられる。あるいは発電装置が含まれていない電池のみの第２電源を採用していた従来のものに較べて電池交換の必要性がなくなる又は少なくなる。
【０００９】
また、釣り糸の糸繰り出し量や糸巻き取り量を把握するためには、使用する釣り糸を使って、スプールの糸巻き量に応じた径を測定する必要がある。ここでは、このスプールの径を糸巻き径測定装置によって測定する。そして、糸巻き径測定装置は、演算制御部が記憶した測定データーによる補完演算機能を有していれば一時的に糸巻き径の測定データー等が入力されない場合でも釣り糸の糸繰り出し量あるいは糸巻き取り量を演算できるため、供給電力はそれほど安定している必要はない。したがって、第１電源の電力消費量を抑えるために、ここでは第２電源によって糸巻き径測定装置を作動させている。
【００１０】
発明２に係る釣り用リールは、手巻き式であって、リール本体と、ハンドル軸と、スプールと、クラッチ機構と、演算制御部と、表示部と、第１電源と、第２電源と、ライト部とを備えている。ハンドル軸にはハンドルが装着されており、ハンドル軸はリール本体に回転自在に支持されている。スプールはリール本体に回転自在に支持されている。クラッチ機構は、ハンドル軸とスプールとを係脱する機構である。演算制御部は糸繰り出し量あるいは糸巻き取り量を演算する。表示部は演算された糸繰り出し量あるいは糸巻き取り量を表示する。第１電源は演算制御部及び表示部に電力を供給する。第２電源は発電装置を含む電源である。第２電源の発電装置は、ハンドル軸の回転あるいはスプールの回転に連動し得る発電部材を有している。ライト部は、第２電源により作動し、表示部の表示に光を供給する。
【００１１】
この釣り用リールでは、釣り糸を繰り出すときには、クラッチ機構によりハンドル軸とスプールとの連結を解除し、釣り糸を巻き取るときには、クラッチ機構によりハンドル軸とスプールとを連結させる。演算制御部は、この糸繰り出しあるいは巻き取り時に測定されるデーターにより、糸繰り出し量あるいは糸巻き取り量を演算する。この演算された糸繰り出し量あるいは糸巻き取り量は表示部に表示される。
【００１２】
演算制御部及び表示部は、常に、糸繰り出し量あるいは糸巻き取り量を釣り人に提供していなければならない。したがって、演算制御部及び表示部に供給される電力は安定している必要がある。一方、糸繰り出しあるいは巻き取り時にスプールの糸巻き径を測定する装置やアラーム発生装置などのその他の装置については、常に作動している必要はなく、仮に電力が供給されず作動が止まっても、演算制御部にそれまでの測定データーによる補完演算をさせることもでき、アラーム機能についても停止することを停止の直前に釣り人に認識させれば釣り人にとって許容される不便の範囲である。すなわち、釣り用リールの各部分における安定電力供給の重要度は異なり、全ての部分に対して安定した電圧を有する電源から電力を供給する必要はない。
【００１３】
ここでは、安定した電力を必要とする演算制御部及び表示部には第１電源から電力を供給し、その他の部分にはハンドル軸の回転あるいはスプールの回転に連動する発電部材により発電を行う発電装置を含む第２電源から電力を供給する。すなわち、常時作動している必要がなく作動が止まっても不都合が少ない部分には、発電装置を含み第１電源に較べて電力供給の安定性の低い第２電源から電力を供給する。このため、第１電源が全ての部分に電力供給していた従来のものに較べて第１電源の電力消費量が減少し、電池を交換する頻度が抑えられる。あるいは発電装置が含まれていない電池のみの第２電源を採用していた従来のものに較べて電池交換の必要性がなくなる又は少なくなる。
【００１４】
また、従来は、手巻き式の釣り用リールの表示部であってバックライトなどの光を供給する手段を備えたものは存在していない。演算制御部及び表示部の電源を共用して表示部に光を供給し釣り人の視認性を向上させることが考えられるが、これでは電源の寿命が非常に短くなってしまう。
【００１５】
ここでは、ライト部が必要不可欠なものではないがあれば便利な付加的なものであることから、発電装置を含み第１電源に較べて電力供給の安定性の低い第２電源から電力を供給する。
【００１６】
また、発電装置がスプールの回転により発電を行うものである場合、ライト部が必要となるのは主としてスプールの回転に伴って表示部の表示が変わる時であることから、ライト部を第２電源により作動させることは合理的であるといえる。
【００１７】
発明３に係る釣り用リールは、手巻き式であって、リール本体と、ハンドル軸と、スプールと、クラッチ機構と、演算制御部と、表示部と、第１電源と、第２電源と、アラーム部とを備えている。ハンドル軸にはハンドルが装着されており、ハンドル軸はリール本体に回転自在に支持されている。スプールはリール本体に回転自在に支持されている。クラッチ機構は、ハンドル軸とスプールとを係脱する機構である。演算制御部は糸繰り出し量あるいは糸巻き取り量を演算する。表示部は演算された糸繰り出し量あるいは糸巻き取り量を表示する。第１電源は演算制御部及び表示部に電力を供給する。第２電源は発電装置を含む電源である。第２電源の発電装置は、ハンドル軸の回転あるいはスプールの回転に連動し得る発電部材を有している。アラーム部は、第２電源により作動して警告音を発する。
【００１８】
この釣り用リールでは、釣り糸を繰り出すときには、クラッチ機構によりハンドル軸とスプールとの連結を解除し、釣り糸を巻き取るときには、クラッチ機構によりハンドル軸とスプールとを連結させる。演算制御部は、この糸繰り出しあるいは巻き取り時に測定されるデーターにより、糸繰り出し量あるいは糸巻き取り量を演算する。この演算された糸繰り出し量あるいは糸巻き取り量は表示部に表示される。
【００１９】
演算制御部及び表示部は、常に、糸繰り出し量あるいは糸巻き取り量を釣り人に提供していなければならない。したがって、演算制御部及び表示部に供給される電力は安定している必要がある。一方、糸繰り出しあるいは巻き取り時にスプールの糸巻き径を測定する装置やアラーム発生装置などのその他の装置については、常に作動している必要はなく、仮に電力が供給されず作動が止まっても、演算制御部にそれまでの測定データーによる補完演算をさせることもでき、アラーム機能についても停止することを停止の直前に釣り人に認識させれば釣り人にとって許容される不便の範囲である。すなわち、釣り用リールの各部分における安定電力供給の重要度は異なり、全ての部分に対して安定した電圧を有する電源から電力を供給する必要はない。
【００２０】
ここでは、安定した電力を必要とする演算制御部及び表示部には第１電源から電力を供給し、その他の部分にはハンドル軸の回転あるいはスプールの回転に連動する発電部材により発電を行う発電装置を含む第２電源から電力を供給する。すなわち、常時作動している必要がなく作動が止まっても不都合が少ない部分には、発電装置を含み第１電源に較べて電力供給の安定性の低い第２電源から電力を供給する。このため、第１電源が全ての部分に電力供給していた従来のものに較べて第１電源の電力消費量が減少し、電池を交換する頻度が抑えられる。あるいは発電装置が含まれていない電池のみの第２電源を採用していた従来のものに較べて電池交換の必要性がなくなる又は少なくなる。
【００２１】
また、
従来は、手巻き式の釣り用リールで警告音を発する手段を備えたものでは、この警告音を発する手段を演算制御部及び表示部の電源を共用して作動させている。しかし、最近の釣り用リールの多機能化に応じて警告音を発する頻度が増え、電源の寿命に大きな影響を与えるようになってきている。
【００２２】
ここでは、アラーム部が必要不可欠なものではないがあれば便利な付加的なものであることから、発電装置を含み第１電源に較べて電力供給の安定性の低い第２電源から電力を供給する。
【００２３】
また、発電装置がスプールの回転により発電を行うものである場合、アラーム部が必要となるのは主としてスプールの回転に伴って表示部の表示が変わる時であることから、アラーム部を第２電源により作動させることは合理的であるといえる。
【００２４】
発明４に係る釣り用リールは、発明２又は３の釣り用リールにおいて、糸巻き径測定装置をさらに備えている。糸巻き径測定装置は、第２電源により作動するもので、スプールの糸巻き量に応じた径（巻き付けられた釣り糸を含むスプールの径）を測定する。また、演算制御部は、糸巻き径測定装置により測定された径及びスプールの回転数から糸繰り出し量あるいは糸巻き取り量を演算する。
【００２５】
釣り糸の糸繰り出し量や糸巻き取り量を把握するためには、使用する釣り糸を使って、スプールの糸巻き量に応じた径を測定する必要がある。ここでは、このスプールの径を糸巻き径測定装置によって測定する。そして、糸巻き径測定装置は、演算制御部が記憶した測定データーによる補完演算機能を有していれば一時的に糸巻き径の測定データー等が入力されない場合でも釣り糸の糸繰り出し量あるいは糸巻き取り量を演算できるため、供給電力はそれほど安定している必要はない。したがって、第１電源の電力消費量を抑えるために、ここでは第２電源によって糸巻き径測定装置を作動させている。
発明５に係る釣り用リールは、発明１又は４の釣り用リールにおいて、糸巻き径測定装置は、光センサーにより得られた信号に基づいて前記スプールの糸巻き量に応じた径を測定する。
ここでは、糸が巻かれたスプールの径を非接触で測定することができるので、糸巻き径測定装置によりスプールに制動がかかり糸繰り出しの速度が落ちるという不具合がない。
発明６に係る釣り用リールは、発明１又は４の釣り用リールにおいて、糸巻き径測定装置は、音波センサーにより得られた信号に基づいて前記スプールの糸巻き量に応じた径を測定する。
【００２６】
ここでは、糸が巻かれたスプールの径を非接触で測定することができるので、糸巻き径測定装置によりスプールに制動がかかり糸繰り出しの速度が落ちるという不具合がない。
【００２７】
発明７に係る釣り用リールは、発明１及び４から６のいずれかの釣り用リールにおいて、演算制御部は、第１径及び第２径とスプールの回転数とを基にして、相対関係式を作成及び更新し、相対関係式により糸繰り出し量あるいは糸巻き取り量を演算する。第１径は、糸繰り出し開始時のスプールの糸巻き径であって、糸巻き径測定装置によって得られる。第２径は、巻き上げ開始時のスプールの糸巻き径であって、糸巻き径測定装置によって得られる。相対関係式は、糸繰り出し量あるいは糸巻き取り量とスプールの回転数との相対関係式である。
【００２８】
ここでは、演算制御部において相対関係式が作成されるため、糸巻き径の測定データー等が一時的に入力されない場合でも、相対関係式が更新されないだけで、釣り糸の糸繰り出し量あるいは糸巻き取り量は補完して演算される。したがって、供給電力はそれほど安定している必要はない。これにより、第１電源の電力消費量を抑える目的で、第２電源によって糸巻き径測定装置を作動させることが可能となる。
【００２９】
さらに、この演算制御部を採用すると、釣りの途中での釣り糸の張力の変化や高切れに対しても特別な操作なしに正しい糸繰り出し量あるいは糸巻き取り量を表示することができ、また、糸巻き径測定装置の作動時間が短くて済むため消費する電力も少ない。
【００３０】
発明８に係る釣り用リールは、発明７の釣り用リールにおいて、演算制御部は、第２電源の電圧が所定の電圧以下になったときに、演算制御部における相対関係式の更新を中止する。
【００３１】
演算制御部は、始めに相対関係式が作成されていれば、それによって糸繰り出し量あるいは糸巻き取り量を演算することができる。新たに糸巻き径測定装置から得られる第１径及び第２径を基に相対関係式を更新することで演算される糸繰り出し量あるいは糸巻き取り量の精度は向上するが、更新されない場合にも多少精度は劣るが糸繰り出し量あるいは糸巻き取り量の演算は可能である。
【００３２】
ここでは、第２電源の電圧が下がると誤測定の恐れもあり、また糸巻き径測定装置以外の他の装置のために第２電源の電力を保持する必要もあるため、第２電源の電圧が所定の電圧以下になったときに、相対関係式の更新を中止させている。
【００３３】
発明９に係る釣り用リールは、発明８の釣り用リールにおいて、表示部は、第２電源の電圧が所定の電圧以下になったときに、演算制御部における相対関係式の更新を中止している旨を表示する。
【００３４】
ここでは、演算制御部における相対関係式の更新を中止している旨が表示部に表示される、すなわち、演算される糸繰り出し量あるいは糸巻き取り量の精度が低下していることが釣り人に知らされる。これにより、釣り人は、精度の低下を認識でき、また、発電装置により第２電源に電力を補充することができるようになる。
【００３５】
発明１０に係る釣り用リールは、発明１から９のいずれかの釣り用リールにおいて、発電装置は、スプールに連動する発電部材を含み、スプールの回転により発電を行うものである。
【００３６】
演算制御部及び表示部以外に手巻き式の釣り用リールにおいて電力の供給を必要とするものとして、例えば、スプールの糸巻き径を測定する装置や所定の糸巻き量でアラームを発生する装置などがある。これらの装置は、スプールが回転していなければスプールの糸巻き径も変化せずアラームを発生させる必要もないため、主としてスプールが回転しているときに作動させればよいものである。
【００３７】
ここでは、第２電源の発電装置の発電部材をスプールに連動させている。このため、スプールが回転したことにより作動させる必要の生じるものについて第２電源から電力を供給すれば、第１電源の負担が減って第１電源の電池の寿命が延び、電池を交換する頻度が抑えられる。
【００３８】
なお、釣り糸を繰り出すときにスプールに制動がかかるのを防ぐために、発電部材はスプールの糸巻き取り方向の回転にのみ連動させる構造を採ることが望ましい。
【００３９】
発明１１に係る釣り用リールは、発明１から９のいずれかの釣り用リールにおいて、発電装置は、ハンドル軸に連動する発電部材を含み、ハンドル軸の回転により発電を行うものである。
【００４０】
ここでは、クラッチ機構によりスプールとの連結が解除され得るハンドル軸に発電装置の発電部材を連動させている。このため、第２電源の電力量が低下したときに、スプールを回転させずに、すなわち釣り糸の繰り出し量を変えずに、ハンドルを回すことによってハンドル軸及びそれに連動する部材のみを回転させ、第２電源の発電装置で発電を行うことができる。これにより、例えば魚のアタリを待っている間に、第２電源を充電させるようなことが可能となる。
【００４１】
発明１２に係る釣り用リールは、発明１から１１のいずれかの釣り用リールにおいて、第２電源により作動するアクチュエータをさらに備えている。
【００４２】
従来、仕掛けを棚位置で停止させる等のためのアクチュエータを駆動させる電源は演算制御部及び表示部の電源とは別個に設けられており、電池が用いられている。このため、電池の交換を行わなければならず、また防水が不完全となる恐れが高い。
【００４３】
ここでは、発電装置を含む第２電源によってアクチュエータを作動させるため、電池交換の煩わしさがなくなり、また第２電源は水密に釣り用リール内に内蔵することができるため、防水不良による不具合を抑えることができる。
【００４４】
【発明の実施の形態】
図１は、本発明の一実施形態である手巻き式の両軸受リールの平面図である。
【００４５】
図１に示す両軸受リールは、主として、リール本体１と、リール本体１の側方に配置されたハンドル２と、ハンドル２のリール本体１側に配置されたドラグ調整用のスタードラグ３と、カウンターケース１２とを備えている。
【００４６】
カウンターケース１２内には、整流器９０、充電池９１、演算制御部９２、アラーム部９５、及び超音波センサー９６が収容されているとともに、液晶ディスプレイ（表示部）９３と、複数の操作スイッチ９４とが表面に露出して設けられている。液晶ディスプレイ９３の背面には、図示しないバックライトが配置されている。
【００４７】
図２に示すように、リール本体１は、フレーム５と、フレーム５の両側方に装着された第１カバー６及び第２カバー７とを有している。フレーム５は、所定の間隔をあけて互いに対向するように配置された１対の側板８，９と、これらの側板８，９を連結する前連結部１０及び後連結部１１とを有している。側板８の側板９側の面には、図３に示すように、後述するスプール１４のマグネット１４ａに対向するようにリードスイッチ８ａが装着されている。このリードスイッチ８ａはマグネット１４ａによってオン・オフが切り換わるものである。
【００４８】
フレーム５内には、スプール１４と、スプール１４に均一に釣り糸７０を巻くためのレベルワインド機構１６とが配置されている。
【００４９】
スプール１４は、その中心を貫通するスプール軸１５に固定されている。スプール軸１５は軸受によってフレーム５に回転自在に支持されている。また、スプール１４の側板８と対向する面には、４つのマグネット１４ａが円周方向に等間隔に固定されている。
【００５０】
フレーム５と第２カバー７との間には、第１ギア機構１８ａと、第２ギア機構１８ｂと、クラッチ機構であるクラッチ係脱機構１９及び係脱制御機構２０と、ドラグ機構２１と、発電装置２４とが配置されている。第１ギア機構１８ａは、ハンドル２からの回転力をスプール１４及びレベルワインド機構１６に伝える。第２ギア機構１８ｂは、ハンドル２からの回転力を発電装置２４に伝える。クラッチ係脱機構１９は、クラッチの係脱により、第１ギア機構１８ａとスプール１４との係合状態及び離脱状態を切り換える。係脱制御機構２０は、クラッチレバー４０の操作、あるいは演算制御部９２からの指令により作動する図示しないアクチュエータの動作に応じて、クラッチの係脱を切り換える。
【００５１】
フレーム５と第１カバー６との間には、スプール１４とレベルワインド機構１６とを連動させる連動ギア機構５０と、第１電源である乾電池９９を２本収容する電池箱（図示せず）とが配置されている。この乾電池９９は、主として演算制御部９２及び表示部９３の電源となる。なお、第１カバー６には、乾電池９９を取り入れる開口部を塞ぐ防水蓋６ａが設けられている。
【００５２】
レベルワインド機構１６は、１対の側板８，９間に固定されたガイド筒２５と、ガイド筒２５内に回転自在に支持されたウォームシャフト２６と、ラインガイド２７とを有している。ウォームシャフト２６には螺旋状の溝が形成されており、ラインガイド２７の一部がこの溝に噛み合っている。ウォームシャフト２６は、連動ギア機構５０を介してスプール１４の回転に従って回転し、ラインガイド２７をガイド筒２５に沿って往復運動させる。
【００５３】
第１ギア機構１８ａは、ドラグ機構２１によりハンドル軸３０と連動するメインギア３１と、メインギア３１に噛み合うピニオン３２とを有している。ピニオン３２は、クラッチ係脱機構１９によりスプール軸１５と係合あるいは離脱が可能である。
【００５４】
第２ギア機構１８ｂは、ハンドル軸３０に固定されたギア３３と、ギア３３に噛み合うギア４９とを有している。ギア４９は、発電装置２４の構成部品となっており、第２カバー７に回転自在に支持されている。
【００５５】
発電装置２４は、発電部材であるギア４９と、ギア４９に固定されている複数の永久磁石８０と、コイル８１とを有している。ギア４９は、前述のギア３３と噛み合っており、ハンドル軸３０と連動して回転する。コイル８１は、永久磁石８０と対向する位置に配置されており、側板９に固定され、カウンターケース１２内の整流器９０に接続されている。なお、発電装置２４、整流器９０、及び整流器９０からの電力を充電する充電池９１によって第２電源が形成される（図４参照）。
【００５６】
超音波センサー９６は、スプール１４に巻かれた釣り糸７０の糸巻き径（巻き付けられた釣り糸７０を含むスプール１４の径）を測定する糸巻き径測定装置であって、送信部及び受信部を備えている。送信部及び受信部は、図３に示すようにカウンターケース１２からスプール１４側に突出しており、送信部はスプール１４に巻かれた釣り糸７０に超音波を発し、受信部は釣り糸７０によって反射する超音波を受信する。
【００５７】
次に、この両軸受リールの動作を説明する。
【００５８】
釣り糸７０を巻き取るときには、ハンドル２を糸巻き取り方向に回す。ハンドル２の回転は、ハンドル軸３０に伝達され、ドラグ機構２１を介してハンドル軸３０に連動するメインギア３１及びピニオン３２に伝わる。ピニオン３２の回転は、クラッチ係脱機構１９によりピニオン３２と嵌合するスプール軸１５に伝達され、スプール１４が回転して釣り糸７０を巻き取る。このスプール１４の回転は連動ギア機構５０を介してウォームシャフト２６に伝達され、ウォームシャフト２６の回転により前述のようにラインガイド２７がガイド筒２５に沿って往復運動を行う。この往復運動により、スプール１４に均一に釣り糸７０が巻き取られる。
【００５９】
この糸巻き取り時に、発電装置２４においては、ハンドル軸３０に固定されているギア３３に噛み合うギア４９の回転に従って複数の永久磁石８０が回転する。これによりコイル８１に電力が発生する。発電された電力は、カウンターケース１２内の整流器９０に送られ直流電流に変換された後、充電池９１に充電される。
【００６０】
一方、釣り糸７０を繰り出すときには、クラッチレバー４０を操作してクラッチ係脱機構１９によりクラッチを離脱する。これにより、スプール軸１５とピニオン３２との嵌合が解除され、釣り糸７０の繰り出しによりスプール１４が回転しても第１ギア機構１８ａにはその回転は伝達されない。すなわち、ハンドル軸３０及びギア３３を介して第１ギア機構１８ａと連動するギア４９も回転せず、発電装置２４による発電は行われない。すなわち、糸繰り出し時には発電しないため、スプール１４の回転に制動がかからず、釣り船などから仕掛けを投下する際に仕掛けの落下速度が低下しない。
【００６１】
また、ここでは、充電池９１の電力容量が不足した場合に、スプール１４を回転させずに簡易に発電だけを行うことができる。ハンドル２を糸巻き取り方向に回転させた場合には、通常、クラッチ係脱機構１９が自動的に係合状態となり、スプール１４と第１ギア機構１８ａとは連動する。このため、スプール１４や第１ギア機構１８ａに常に連動する部材を利用して発電させるとすると、発電しているときには常にスプール１４が回転している状態となる。これでは、釣りの最中や仕掛けをつけた状態などの場合に不都合となることがある。これに対し本実施形態の発電装置２４の場合、ドラグ機構２１の調整によりハンドル軸３０と第１ギア機構１８ａとの連動を解除すると、発電装置２４のギア４９はスプール１４と連動しない。したがって、スプール１４の回転を生じさせることなくハンドル２を回して発電を行うことができ、例えば、魚のアタリを待っている間に充電池９１を充電させることができる。
【００６２】
次に、この両軸受リールの各部の機能について説明する。
【００６３】
図４に示すように、第１電源の乾電池９９により演算制御部９２、液晶ディスプレイ９３、及びリードスイッチ８ａに電力が供給され、第２電源の充電池９１により超音波センサー９６、アラーム制御部９５ａ及びアラーム発生部９５ｂ、アクチュエータ、及びバックライトに電力が供給される。演算制御部９２には、操作スイッチ９４から釣り人の設定する情報が、リードスイッチ８ａからスプール１４の回転数が、超音波センサー９６から糸巻き径が入力される。演算制御部９２は、これらを基に糸繰り出し量あるいは糸巻き取り量を演算し、アラーム部９５、アクチュエータ、及び超音波センサー９６に作動指令を発し、液晶ディスプレイ９３に各種情報を表示させる。なお、液晶ディスプレイ９３はバックライトによって照らされる。
【００６４】
本実施形態の両軸受リールを使用するときには、まず釣りの前に、釣りで使用する釣り糸７０の実測値を演算制御部９２に記憶させるための作業を行う。ここでは、釣り糸７０をスプール１４にセット（固定）して操作スイッチ９４により初期状態を記憶させる。そして、所定の張力をかけて釣り糸７０を巻き取る。このときに、超音波センサー９６によりスプール１４に巻かれる釣り糸７０の糸巻き径が測定されるとともに、リードスイッチ８ａによってスプール１４の回転数が検出される。これらの糸巻き径及びスプール１４の回転数のデーターは演算制御部９２に記憶される。これらのデーターや釣り糸７０の長さから、演算制御部９２は、糸繰り出し量あるいは糸巻き取り量を演算するための糸繰り出し量あるいは糸巻き取り量とスプール１４の回転数との相対関係式を作成して記憶する。釣りの最中には、スプール１４の回転数によって決まる糸繰り出し量あるいは糸巻き取り量が、この相対関係式によって演算されて液晶ディスプレイ９３に表示される。
【００６５】
また、演算制御部９２は、釣りの最中に、糸繰り出し開始時及び水底あるいは棚からの巻き上げ開始時に超音波センサー９６にスプール１４の糸巻き径の測定指令を発して、糸繰り出し開始時のスプール１４の第１径及び巻き上げ開始時のスプール１４の第２径のデーターを取り込む。そして、第１径，第２径，及びスプール１４の回転数を基に相対関係式を作成及び更新する。これにより、より正確な糸繰り出し量あるいは糸巻き取り量を演算及び表示することができる。
【００６６】
釣りを始めたら、正確な棚取りを狙うため、仕掛けが水面にある時に表示される糸繰り出し量あるいは糸巻き取り量を「０」とするように操作スイッチ９４を操作する。また、釣れた棚の深さを操作スイッチ９４により演算制御部９２に記憶させる。そうすると、仕掛けを水中に投下していき仕掛けが設定した棚の深さに到達すると、演算制御部９２は、クラッチ係脱機構１９によりピニオン３２とスプール軸１５とを係合させるように、アクチュエータに対して指令を発する。これにより、釣り糸７０のスプール１４からの繰り出しが停まり、設定した棚位置で仕掛けが自動的に停止する。また、設定した棚位置に仕掛けが到達する直前から演算制御部９２がアラーム制御部９５ａに指令を発し、アラーム発生部９５ｂがアラームを鳴らす。これにより、釣り人に仕掛けの棚位置への到達を知らせる。
【００６７】
このリールの基本的な機能は仕掛けの水深を表示させることにあるため、演算制御部９２及び液晶ディスプレイ９３は、常に、糸繰り出し量あるいは糸巻き取り量を釣り人に提供していなければならない。したがって、演算制御部９２、液晶ディスプレイ９３、及びリードスイッチ８ａに供給する電力は安定している必要がある。これに対し、超音波センサー９６については、常に作動している必要はなく、仮に電力が供給されず作動が止まっても、演算制御部９２に記憶されているそれまでの測定データーで演算させることができる。アラーム部９５、アクチュエータ、及びバックライトについては、その機能が停止することを停止の直前に釣り人に認識させれば、機能が停止してもそれは釣り人にとって許容される不便の範囲である。ここでは、演算制御部９２、液晶ディスプレイ９３、及びリードスイッチ８ａには、乾電池９９から安定した電力が供給され、アラーム部９５、アクチュエータ、及びバックライトには、乾電池９９に較べて電力供給の安定性の低い充電池９１から電力を供給している。このため、従来のように乾電池９９が全ての部分に電力を供給していたリールに較べて、乾電池９９の電力消費量が減少するため、乾電池９９を交換する頻度が抑えられている。
【００６８】
また、超音波センサー９６による釣りの最中における糸巻き径の測定を、糸繰り出し開始時のスプール１４の第１径及び巻き上げ開始時のスプール１４の第２径の２点に抑えている。したがって、釣り糸７０の繰り出しあるいは巻き取り時に海水等が超音波センサー９６に付着して誤測定を行い誤った糸繰り出し量あるいは糸巻き取り量が演算され表示されることが抑えられるとともに、作動時間が短くて済むため消費される電力も少ない。
【００６９】
また、演算制御部９２は、充電池９１が所定の電圧以下になったときに、超音波センサー９６への測定指令と相対関係式の作成及び更新とを中止するとともに、その旨を液晶ディスプレイ９３に表示させる。演算制御部９２に相対関係式が作成されていればスプール１４の回転数の入力のみによって糸繰り出し量あるいは糸巻き取り量を演算することができるため、スプール１４の第１径や第２径が測定されず相対関係式の更新がなされないときにも、多少精度は劣るが糸繰り出し量あるいは糸巻き取り量は演算される。したがって、電力不足に起因する超音波センサー９６の誤測定の防止及び充電池９１の電力保持の観点から、充電池９１が所定電圧以下になったときには、演算制御部９２の超音波センサー９６への測定指令と相対関係式の作成及び更新とを中止させている。そして、この中止の旨を中止させる直前に液晶ディスプレイ９３により釣り人に知らしめ、釣り人に糸繰り出し量あるいは糸巻き取り量の表示の精度低下を認識させ、必要に応じて充電池９１に電力を補充することを可能としている。
【００７０】
〔他の実施形態〕
（ａ）上記実施形態では、発電装置２４によってスプール１４の糸繰り出し方向の回転に制動がかかることを避けるように、ハンドル軸３０に連動し糸繰り出し時にはスプール１４に連動しないギア４９を発電部材としている。このような発電装置２４の代わりに、スプール１４に常に連動する連動ギア機構５０のギアのひとつを発電部材とする発電装置を採用することもできる。
【００７１】
この場合には、スプール１４には多少の制動がかかるが、発電量が増える。また、アクチュエータ、アラーム部９５、バックライトなどは糸繰り出しの最中にその機能が必要とされる場合が多いが、ここでは糸繰り出し中に発電されるため、各機能がより正常に働くことが期待できる。
【００７２】
（ｂ）上記実施形態では超音波センサー９６によりスプール１４に巻かれる釣り糸７０の糸巻き径を測定しているが、光センサーあるいは機械的に釣り糸７０の接触する装置を採用することもできる。
【００７３】
（ｃ）上記実施形態では釣り糸７０が巻かれたスプール１４の第１径及び第２径を測定しているが、糸繰り出しあるいは巻き取りの最中にも間欠的に測定を行い、より正確に糸繰り出し量あるいは糸繰り出し量あるいは糸巻き取り量を演算させることもできる。
【００７４】
【発明の効果】
本発明に係る釣り用リールでは、安定した電力を必要とする演算制御部及び表示部には第１電源から電力を供給し、その他の部分には発電装置を含み第１電源に較べて電力供給の安定性の低い第２電源から電力を供給しているため、第１電源が全ての部分に電力供給していた従来のものに較べて第１電源の電力消費量が減少し電池交換の頻度が抑えられ、あるいは発電装置が含まれていない電池のみから成る第２電源を採用していた従来のものに較べて電池交換がなくなる又は少なくなる。
【図面の簡単な説明】
【図１】本発明の一実施形態による発電装置が採用された両軸受リールの平面図。
【図２】両軸受リールの横断面図。
【図３】両軸受リールの概略縦断面図。
【図４】両軸受リールの制御系統図。
【符号の説明】
１ リール本体
２ ハンドル
１４ スプール
１９ クラッチ係脱機構（クラッチ機構）
２０ 係脱制御機構（クラッチ機構）
２４ 発電装置
３０ ハンドル軸
４９ ギア（発電部材）
９１ 充電池（第２電源）
９２ 演算制御部
９３ 液晶ディスプレイ（表示部）
９５ アラーム部
９６ 超音波センサー（糸巻き径測定装置）
９９ 乾電池（第１電源）
【図１】
0003759551.tif 000002
【図２】
0003759551.tif 000003
【図３】
0003759551.tif 000004
【図４】
0003759551.tif 000005